(57)【要約】【課題】使用開始前の準備を簡単化したマルチディスプレイシステムを提供する。【解決手段】ディスプレイ装置１は、通信部１３と、制御部１１と、表示部１２とを備える。通信部１３は、ネットワークに接続され、ネットワーク上のＩＰアドレスが割り当てられる。制御部１１は、通信部１３に割り当てられたＩＰアドレスを示すコード画像２ａ〜２ｄを生成する。表示部１２は、制御部によって生成されたコード画像２ａ〜２ｄ又は通信部によってネットワークから受信された画像信号の画像を表示する。【選択図】図１
2019207264.tif 000002
【特許請求の範囲】
【請求項１】
ネットワークに接続され、前記ネットワーク上のＩＰアドレスが割り当てられた通信部と、
前記通信部に割り当てられたＩＰアドレスを示すコード画像を生成する制御部と、
前記制御部によって生成されたコード画像又は前記通信部によって前記ネットワークから受信された画像信号の画像を表示する表示部とを備える、
ディスプレイ装置。
【請求項２】
前記コード画像は２次元バーコードである、
請求項１記載のディスプレイ装置。
【請求項３】
ネットワークを介して接続された複数のディスプレイ装置を管理する制御装置であって、
前記複数のディスプレイ装置には、前記ネットワーク上のＩＰアドレスがそれぞれ割り当てられ、
前記制御装置は、
撮像装置に接続された第１の通信部と、
前記ネットワークを介して前記複数のディスプレイ装置に接続された第２の通信部と、
前記撮像装置から前記第１の通信部を介して受信された画像を解析する制御部とを備えた制御装置であって、
前記制御部は、
前記割り当てられたＩＰアドレスを示すコード画像が前記複数のディスプレイ装置の表示部にそれぞれ表示されたとき、前記複数のディスプレイ装置の各コード画像を含む前記複数のディスプレイ装置の画像を前記撮像装置から前記第１の通信部を介して受信し、
前記複数のディスプレイ装置の各コード画像に基づいて、前記複数のディスプレイ装置の各ＩＰアドレスと、前記複数のディスプレイ装置の相対位置とを決定する、
制御装置。
【請求項４】
前記コード画像は２次元バーコードである、
請求項３記載の制御装置。
【請求項５】
前記複数のディスプレイ装置に表示される画像の組み合わせにより１つの全体画像を表示するように、前記複数のディスプレイ装置の各ＩＰアドレス及び相対位置に基づいて、前記複数のディスプレイ装置に画像信号を配信する、
請求項３又は４記載の制御装置。
【請求項６】
請求項１又は２記載の複数のディスプレイ装置と、
請求項３〜５のうちの１つに記載の制御装置と、
撮像装置とを備える、
マルチディスプレイシステム。
【発明の詳細な説明】
【技術分野】
【０００１】
本開示は、複数のディスプレイ装置をネットワークを介して接続して単一のディスプレイ装置のように機能させるマルチディスプレイシステムに関する。本開示はまた、そのようなマルチディスプレイシステムのためのディスプレイ装置及び制御装置に関する。
【背景技術】
【０００２】
近年、デジタルサイネージと呼ばれる電子看板の分野などにおいて、液晶又はＬＥＤパネルを搭載した複数のディスプレイ装置を用いたマルチディスプレイシステムが広く用いられている。マルチディスプレイシステムでは、複数のディスプレイ装置をタイル状に並べて配置して全体で１つのディスプレイ装置のように機能させて、１つの動画像（又は静止画像）を表示させる。
【０００３】
特許文献１は、複数の表示端末と、表示端末を制御する制御装置と、を有し、複数の表示端末を組み合わせて単一の画像を表示するマルチディスプレイシステムを開示している。表示端末は、表示端末ごとの識別情報を含むコード画像を表示画面に表示する。制御装置の撮影手段は、複数の表示端末の表示画面を撮影して撮影画像を取得する。制御装置の距離計算手段は、撮影された撮影画像におけるコード画像から識別情報を読み取ることで各表示端末の配置を特定するとともに、そのコード画像の撮影位置及び撮影サイズに基づいて、表示画面同士の距離を計算する。制御装置の表示制御手段は、特定された配置と、計算された間隔と、に基づいて、単一の画像のうち表示端末ごとに表示すべき部分画像を表示させるための表示情報を、読み取った識別情報に対応する表示端末に送信する。
【先行技術文献】
【特許文献】
【０００４】
【特許文献１】特開２０１２−１３３０６９号公報
【発明の概要】
【発明が解決しようとする課題】
【０００５】
マルチディスプレイシステムにおいて、複数のディスプレイ装置は、制御装置（又は配信装置）に直接に接続されてもよく、ＩＰネットワークなどのネットワークを介して制御装置に接続されてもよい。後者の場合、動画像を制御装置からネットワークを介して各ディスプレイ装置に配信するためには、制御装置は各ディスプレイ装置のＩＰアドレスを必要とする。
【０００６】
特許文献１の方法では、各ディスプレイ装置のＩＰアドレスを別の手段を用いて別途取得するか、制御装置に予め登録しておく必要があるので、操作が煩雑になるという課題があった。
【０００７】
本開示は、複数のディスプレイ装置がネットワークを介して制御装置又は配信装置に接続されたマルチディスプレイシステムにおいて、使用開始前の準備を簡単化したマルチディスプレイシステムを提供する。本開示はまた、そのようなマルチディスプレイシステムのためのディスプレイ装置及び制御装置を提供する。
【課題を解決するための手段】
【０００８】
本開示の一態様に係るディスプレイ装置は、通信部と、制御部と、表示部とを備える。通信部は、ネットワークに接続され、ネットワーク上のＩＰアドレスが割り当てられる。制御部は、通信部に割り当てられたＩＰアドレスを示すコード画像を生成する。表示部は、制御部によって生成されたコード画像又は通信部によってネットワークから受信された画像信号の画像を表示する。
【発明の効果】
【０００９】
本開示は、使用開始前の準備を簡単化したマルチディスプレイシステムを提供することができる。
【図面の簡単な説明】
【００１０】
【図１】実施形態に係るマルチディスプレイシステムの構成を示す図である。
【図２】実施形態に係るディスプレイ装置１の構成を示すブロック図である。
【図３】実施形態に係る制御装置４の構成を示すブロック図である。
【図４】実施形態に係る撮像装置５の構成を示すブロック図である。
【図５】実施形態に係るディスプレイ装置１、制御装置４、及び撮像装置５によって実行される処理のシーケンスを示すフローチャートである。
【図６】実施形態に係るディスプレイ装置１ａ〜１ｄ及びそれらのＩＰアドレスのマップを示す表である。
【発明を実施するための形態】
【００１１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、出願人は、当業者が本開示を十分に理解するために添付図面および以下の説明を提供するのであって、これらによって特許請求の範囲に記載の主題を限定することを意図するものではない。
【００１３】
（実施形態）
［１−１］構成
図１は、実施形態に係るマルチディスプレイシステムの構成を示す図である。図１のマルチディスプレイシステムは、複数のディスプレイ装置１ａ〜１ｄ（総称して「ディスプレイ装置１」ともいう）、ハブ３、制御装置４、及び撮像装置５を備える。
【００１４】
ディスプレイ装置１ａ〜１ｄ及び制御装置４は、ハブ３を含むネットワークを介して互いに接続される。制御装置４は、ネットワークを介して接続されたディスプレイ装置１ａ〜１ｄを管理し、ディスプレイ装置１ａ〜１ｄに動画像ファイル（画像信号）を配信する。
【００１５】
ディスプレイ装置１ａ〜１ｄは、例えば、既知の同じサイズの表示画面を有する。ディスプレイ装置１ａ〜１ｄは、起動してネットワーク上のＩＰアドレスが設定されると、それらの表示部（表示画面）上に、設定されたＩＰアドレスを示すコード画像２ａ〜２ｄ（総称して「コード画像２」ともいう）を表示する。コード画像２ａ〜２ｄは例えば２次元バーコードである。
【００１６】
本実施形態では、制御装置４から複数のディスプレイ装置１ａ〜１ｄに同じ動画像ファイルを送信し、複数のディスプレイ装置１ａ〜１ｄのそれぞれが動画像ファイルの表示範囲全体のうちの一部を表示する。このため、制御装置４は、各ディスプレイ装置１ａ〜１ｄに同じ動画像ファイルを配信するとともに、ディスプレイ装置ごとに表示すべき範囲及びサイズ等の情報（以下、「表示範囲情報」という）を合わせて配信する。制御装置４は、動画像ファイル並びに表示範囲情報をＩＰパケットとしてディスプレイ装置１ａ〜１ｄに配信する。これにより、制御装置４は、ディスプレイ装置１ａ〜１ｄに表示される画像の組み合わせにより１つの全体画像を表示するように、ディスプレイ装置１ａ〜１ｄの各ＩＰアドレス及び相対位置に基づいて、ディスプレイ装置１ａ〜１ｄに動画像ファイルを配信する。
【００１７】
また、制御装置４は、ＵＳＢケーブルを介して撮像装置５と接続されている。
【００１８】
図２は、実施形態に係るディスプレイ装置１の構成を示すブロック図である。ディスプレイ装置１は、制御部１１、表示部１２、通信部１３、及び記憶部１４を備える。制御部１１は、ディスプレイ装置１全体を制御する。表示部１２は、各種コンテンツを表示する。通信部１３は、ネットワークに接続され、ネットワーク上のＩＰアドレスが割り当てられる。通信部１３は、ハブ３を介して制御装置４との間でデータを送受信する。記憶部１４は、制御装置４から受信した動画像ファイルのデータを一時的に記憶する。また、制御部１１は、ＩＰアドレス取得モジュール１１ａ、コード生成モジュール１１ｂ、コード表示モジュール１１ｃ、動画像受信モジュール１１ｄ、動画像記憶モジュール１１ｅ、及び動画像表示モジュール１１ｆを備える。これらのモジュール１１ａ〜１１ｆは、制御部１１の回路の一部であってもよく、制御部１１で実行されるプログラムの一部であってもよい。ＩＰアドレス取得モジュール１１ａは、通信部１３に割り当てられたディスプレイ装置１のＩＰアドレスを取得する。コード生成モジュール１１ｂは、ディスプレイ装置１のＩＰアドレスを示す２次元バーコードなどのコード画像２を生成する。コード表示モジュール１１ｃは、生成されたコード画像２を表示部１２に表示する。動画像受信モジュール１１ｄは、制御装置４からハブ３を介して配信される動画像ファイルのデータを通信部１３を介して受信する。動画像記憶モジュール１１ｅは、受信した動画像ファイルのデータを記憶部１４に記憶する。動画像表示モジュール１１ｆは、受信された動画像ファイルのデータを記憶部１４から読み込み、表示部１２に表示する。これにより、制御部１１は、ディスプレイ装置１のＩＰアドレスを示すコード画像２を生成する。表示部１２は、制御部１１によって生成されたコード画像２又は通信部１３によってネットワークから受信された画像信号の画像を表示する。
【００１９】
図３は、実施形態に係る制御装置４の構成を示すブロック図である。制御装置４は、制御部４１、入力部４２、通信部４３、記憶部４４、通信部４５、及び表示部４６を備える。制御部４１は、制御装置４全体を制御する。入力部４２は、ユーザから入力された文字及び操作情報を取得する。通信部４３は、撮像装置５に接続され、撮像装置５との間でデータを送受信する。記憶部４４は、ディスプレイ装置１に配信する動画像ファイルのデータ、撮像装置５から受信された撮影画像のデータ、並びにアプリケーションのプログラム及びデータを記憶しておく。通信部４５は、ネットワークを介して複数のディスプレイ装置１に接続される。通信部４５は、ハブ３を介してディスプレイ装置１との間でデータを送受信する。表示部４６は、各種データ及びアプリケーションの画面を表示する。制御部４１は、撮影要求モジュール４１ａ、撮影画像受信モジュール４１ｂ、撮影画像記憶モジュール４１ｃ、撮影画像解析モジュール４１ｄ、表示範囲決定モジュール４１ｅ、及び動画像配信モジュール４１ｆを備える。これらのモジュール４１ａ〜４１ｆは、制御部４１の回路の一部であってもよく、制御部４１で実行されるプログラムの一部であってもよい。撮影要求モジュール４１ａは、入力部４２で取得された操作情報に応じて、通信部４３を介して撮像装置５に撮影要求信号を送信する。撮影画像受信モジュール４１ｂは、撮像装置５にて撮影された撮影画像のデータを、通信部４３を介して受信する。撮影画像記憶モジュール４１ｃは、受信した撮影画像のデータを記憶部４４に記憶する。撮影画像解析モジュール４１ｄは、撮像装置５から通信部４３を介して受信された画像を解析する。撮影画像解析モジュール４１ｄは、記憶部４４から撮影画像のデータを読み込み、撮影画像からコード画像２を切り出して認識し、コード画像をＩＰアドレスに変換し、複数のディスプレイ装置１の相対位置及び対応するＩＰアドレスのマップ（図６）を生成する。表示範囲決定モジュール４１ｅは、生成されたマップ（図６）に基づいてディスプレイ装置１に配信する動画像ファイルのための表示範囲情報を生成し、記憶部４４に記憶する。動画像配信モジュール４１ｆは、生成された表示範囲情報並びに動画像ファイルのデータを記憶部４４から読み込んで、通信部４５を介してディスプレイ装置１に配信する。
【００２０】
図４は、実施形態に係る撮像装置５の構成を示すブロック図である。撮像装置５は、制御部５１、入力部５２、通信部５３、撮影部５４、記憶部５５、及び表示部５６を備える。制御部５１は、撮像装置５全体を制御する。入力部５２は、撮像装置５を手動で操作するためのユーザ入力を取得する。通信部５３は、制御装置４との間でデータを送受信する。撮影部５４は、センサーにより撮影画像のデータを取り込む。記憶部５５は、撮影画像のデータを記憶しておく。表示部５６は、撮影部５４を介して取り込んだ現在の画像又は撮影画像のデータを表示する。制御部５１は、撮影モジュール５１ａ、撮影画像記憶モジュール５１ｂ、撮影画像送信モジュール５１ｃ、及び撮影画像表示モジュール５１ｄを備える。これらのモジュール５１ａ〜５１ｄは、制御部５１の回路の一部であってもよく、制御部５１で実行されるプログラムの一部であってもよい。撮影モジュール５１ａは、入力部５２及び通信部５３を経由して受け取った操作情報をもとに、撮影部５４にて撮影画像のデータを取り込む。撮影画像記憶モジュール５１ｂは、取り込んだ撮影画像のデータを記憶部５５に記憶しておく。撮影画像送信モジュール５１ｃは、記憶部５５に記憶した撮影画像のデータを読み込んで、通信部５３を介して制御装置４に撮影画像のデータを送信する。撮影画像表示モジュール５１ｄは、記憶部５５に記憶した撮影画像のデータを読み込んで表示部５６に表示する。
【００２１】
［１−２］動作
図５は、実施形態に係るディスプレイ装置１、制御装置４、及び撮像装置５によって実行される処理のシーケンスを示すフローチャートである。
【００２２】
各ディスプレイ装置１ａ〜１ｄが起動すると、ＤＨＣＰ等によりＩＰアドレスが割り当てられる。ステップＳ１において、各ディスプレイ装置１ａ〜１ｄのＩＰアドレス取得モジュール１１ａは、通信部１３から、ディスプレイ装置のＩＰアドレスを取得する。次に、ステップＳ２において、各ディスプレイ装置１ａ〜１ｄのコード生成モジュール１１ｂは、取得したＩＰアドレスを示すコード画像２ａ〜２ｄをそれぞれ生成する。次に、ステップＳ３において、各ディスプレイ装置１ａ〜１ｄのコード表示モジュール１１ｃは、生成したコード画像２ａ〜２ｄを表示部１２にそれぞれ表示する。
【００２３】
各ディスプレイ装置１ａ〜１ｄの表示部１２にコード画像２ａ〜２ｄがそれぞれ表示されたとき、ユーザは、コード画像２ａ〜２ｄを撮影するように操作情報を制御装置４の入力部４２に入力する。ステップＳ４において、制御装置４の撮影要求モジュール４１ａは、入力部４２から入力された操作情報に応じて、通信部４３を介して撮像装置５に撮影要求信号を送信する。
【００２４】
次にステップＳ５において、撮像装置５の撮影モジュール５１ａは、通信部５３からの撮影要求信号に応じて、ディスプレイ装置１ａ〜１ｄに表示されたコード画像２ａ〜２ｄの全てを含むように、ディスプレイ装置１ａ〜１ｄの画像を撮影部５４により撮影する。次にステップＳ６において、撮像装置５の撮影画像記憶モジュール５１ｂは、撮影画像のデータを記憶部５５に記憶する。次にステップＳ７において、撮像装置５の撮影画像送信モジュール５１ｃは、記憶部５５から撮影画像のデータを読み込み、撮影画像のデータを通信部５３を介して制御装置４に送信する。
【００２５】
次にステップＳ８において、制御装置４の撮影画像受信モジュール４１ｂは、通信部４３を介して撮影画像のデータを受信する。次にステップＳ９において、制御装置４の撮影画像記憶モジュール４１ｃは、受信した撮影画像のデータを記憶部４４に記憶する。次にステップＳ１０において、制御装置４の撮影画像解析モジュール４１ｄは、記憶部４４から撮影画像のデータを読み込んで、ディスプレイ装置１ａ〜１ｄのコード画像２ａ〜２ｄに基づいて、ディスプレイ装置１ａ〜１ｄの各ＩＰアドレスと、ディスプレイ装置１ａ〜１ｄの相対位置とを決定する。コード画像２ａ〜２ｄの位置を認識するとともにＩＰアドレスを読み取って、これにより、制御装置４の撮影画像解析モジュール４１ｄは、ディスプレイ装置１ａ〜１ｄのＩＰアドレスとディスプレイ装置１ａ〜１ｄの相対位置とを示すマップ（図６）を生成する。
【００２６】
図６は、実施形態に係るディスプレイ装置１ａ〜１ｄ及びそれらのＩＰアドレスのマップを示す表である。各欄の座標（ｘ／ｍ，ｙ／ｎ）は以下のように定義される。
ｘ：Ｘ方向におけるあるディスプレイ装置の位置
ｍ：Ｘ方向におけるディスプレイ装置の合計個数
ｙ：Ｙ方向におけるあるディスプレイ装置の位置
ｎ：Ｙ方向におけるディスプレイ装置の合計個数
【００２７】
次にステップＳ１１において、制御装置４の表示範囲決定モジュール４１ｅは、マップ（図６）に基づいて、ディスプレイ装置１ａ〜１ｄに表示する動画像ファイルの表示範囲情報を作成し、記憶部４４に記憶する。次にステップＳ１２において、制御装置４の動画像配信モジュール４１ｆは、ディスプレイ装置１ａ〜１ｄのそれぞれに対応する動画像ファイル並びに表示範囲情報を記憶部４４から読み込んで、通信部４５を介してディスプレイ装置１ａ〜１ｄに送信する。
【００２８】
次にステップＳ１３において、ディスプレイ装置１ａ〜１ｄの動画像受信モジュール１１ｄは、制御装置４から通信部１３を介して受信した動画像ファイル並びに表示範囲情報を受信する。次にステップＳ１４において、ディスプレイ装置１ａ〜１ｄの動画像記憶モジュール１１ｅは、受信した動画像ファイル並びに表示範囲情報を記憶部１４に記憶する。次にステップ１５において、ディスプレイ装置１ａ〜１ｄの動画像表示モジュール１１ｆは、記憶部１４から動画像ファイル並びに表示範囲情報を読み込んで、表示範囲情報に従って動画像ファイルのデータを表示部１２に表示する。
【００２９】
撮像装置５は、ディスプレイ装置１ａ〜１ｄを起動してＩＰアドレスが割り当てられた後、ディスプレイ装置１ａ〜１ｄの画像を一定時間内に撮影する。ディスプレイ装置１ａ〜１ｄは、一定時間が経過したらコード画像２ａ〜２ｄの表示を終了する。
【００３０】
このように、本実施形態に係るマルチディスプレイシステムによれば、各ディスプレイ装置上にそれらのＩＰアドレスをコード画像として表示して撮像装置で撮影するだけで、各ディスプレイ装置のＩＰアドレス及びそれらの相対位置を取得することができる。従って、別途ＩＰアドレスを取得して制御装置又は配信装置に登録する必要なく、各ディスプレイ装置に必要な動画像ファイル並びに表示範囲情報を配信することができる。
【００３１】
以上のように、添付図面および詳細な説明によって、ベストモードと考える実施形態を提供した。これら、特定の実施形態を参照することにより、当業者に対して、特許請求の範囲に記載の主題を例証するために提供されるものである。したがって、特許請求の範囲またはその均等の範囲において、上述の実施形態に対して、種々の変更、置き換え、付加、省略などを行うことができる。
【００３２】
［１−３］効果等
実施形態に係るディスプレイ装置は、通信部１３と、制御部１１と、表示部１２とを備える。通信部１３は、ネットワークに接続され、ネットワーク上のＩＰアドレスが割り当てられる。制御部１１は、通信部１３に割り当てられたＩＰアドレスを示すコード画像２を生成する。表示部１２は、制御部によって生成されたコード画像２又は通信部によってネットワークから受信された画像信号の画像を表示する。
【００３３】
これにより、使用開始前の準備を簡単化したマルチディスプレイシステムを提供することができる。特に、各ディスプレイ装置１ａ〜１ｄのＩＰアドレス及びそれらの相対位置のマップを自動的に生成することができる。
【００３４】
実施形態に係るディスプレイ装置によれば、コード画像２は２次元バーコードってもよい。
【００３５】
実施形態に係る制御装置によれば、ネットワークを介して接続された複数のディスプレイ装置１ａ〜１ｄを管理する制御装置４が提供される。複数のディスプレイ装置１ａ〜１ｄには、ネットワーク上のＩＰアドレスがそれぞれ割り当てられる。制御装置４は、撮像装置５に接続された第１の通信部４３と、ネットワークを介して複数のディスプレイ装置１ａ〜１ｄに接続された第２の通信部４５と、撮像装置５から第１の通信部を介して受信された画像を解析する制御部４１とを備える。制御部４１は、割り当てられたＩＰアドレスを示すコード画像２ａ〜２ｄが複数のディスプレイ装置１ａ〜１ｄの表示部１２にそれぞれ表示されたとき、複数のディスプレイ装置１ａ〜１ｄの各コード画像２ａ〜２ｄを含む複数のディスプレイ装置１ａ〜１ｄの画像を撮像装置５から第１の通信部４３を介して受信する。制御部４１は、複数のディスプレイ装置１ａ〜１ｄの各コード画像２ａ〜２ｄに基づいて、複数のディスプレイ装置１ａ〜１ｄの各ＩＰアドレスと、複数のディスプレイ装置１ａ〜１ｄの相対位置とを決定する。
【００３６】
これにより、使用開始前の準備を簡単化したマルチディスプレイシステムを提供することができる。特に、各ディスプレイ装置１ａ〜１ｄのＩＰアドレス及びそれらの相対位置のマップを自動的に生成することができる。
【００３７】
実施形態に係る制御装置によれば、コード画像２は２次元バーコードであってもよい。
【００３８】
実施形態に係る制御装置によれば、複数のディスプレイ装置１ａ〜１ｄに表示される画像の組み合わせにより１つの全体画像を表示するように、複数のディスプレイ装置１ａ〜１ｄの各ＩＰアドレス及び相対位置に基づいて、複数のディスプレイ装置１ａ〜１ｄに画像信号を配信してもよい。
【００３９】
実施形態に係るマルチディスプレイシステムは、複数のディスプレイ装置１ａ〜１ｄと、制御装置４と、撮像装置５とを備える。
【００４０】
これにより、使用開始前の準備を簡単化したマルチディスプレイシステムを提供することができる。特に、各ディスプレイ装置１ａ〜１ｄのＩＰアドレス及びそれらの相対位置のマップを自動的に生成することができる。
【００４１】
（他の実施形態）
以上のように、本出願において開示する技術の例示として、実施形態を説明した。しかしながら、本開示における技術は、これに限定されず、適宜、変更、置き換え、付加、省略などを行った実施形態にも適用可能である。また、上記実施形態で説明した各構成要素を組み合わせて、新たな実施形態とすることも可能である。
【００４２】
複数のディスプレイ装置の表示画面は、既知の同じサイズに代えて、異なるサイズが混在していてもよい。
【００４３】
複数のディスプレイ装置及び制御装置は、有線ネットワークによって互いに接続されていても、無線ネットワークによって互いに接続されていてもよい。
【００４４】
制御装置から複数のディスプレイ装置に同じ動画像ファイルと個別の表示範囲情報とを配信することに代えて、各ディスプレイ装置の表示範囲に従って動画像ファイルを予め分割して配信してもよい。
【００４５】
動画像ファイルを複数のディスプレイ装置に配信するための配信装置を、制御装置とは別に設けてもよい。
【００４６】
複数のディスプレイ装置の各コード画像を含む複数のディスプレイ装置の画像を撮影するとき、制御装置から撮像装置に撮影要求信号を送信することに代えて、ユーザが撮像装置を直接に操作してもよい。
【００４７】
複数のディスプレイ装置の各コード画像を含む複数のディスプレイ装置の画像を撮影するとき、複数回の撮影を行ってもよい。少なくとも２つのディスプレイ装置の各コード画像をそれぞれ含む複数の画像を組み合わせることにより、すべてのディスプレイ装置のＩＰアドレス及びそれらの相対位置を決定することができる。
【００４８】
以上のように、本開示における技術の例示として、実施形態を説明した。そのために、添付図面及び詳細な説明を提供した。
【００４９】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５０】
また、上述の実施形態は、本開示における技術を例示するためのものであるから、特許請求の範囲またはその均等の範囲において種々の変更、置き換え、付加、省略などを行うことができる。
【産業上の利用可能性】
【００５１】
本開示は、ビデオウォールなどのマルチディスプレイ映像表示を行う場合に有用である。
【符号の説明】
【００５２】
１…ディスプレイ装置、
２…コード画像、
３…ハブ、
４…制御装置、
５…撮像装置、
１１…ディスプレイ装置の制御部、
１２…ディスプレイ装置の表示部、
１３…ディスプレイ装置の通信部、
１４…ディスプレイ装置の記憶部、
４１…制御装置の制御部、
４２…制御装置の入力部、
４３…制御装置の通信部、
４４…制御装置の記憶部、
４５…制御装置の通信部、
４６…制御装置の表示部、
５１…撮像装置の制御部、
５２…撮像装置の入力部、
５３…撮像装置の通信部、
５４…撮像装置の撮影部、
５５…撮像装置の記憶部、
５６…撮像装置の表示部。
【図１】
2019207264.tif 000003
【図２】
2019207264.tif 000004
【図３】
2019207264.tif 000005
【図４】
2019207264.tif 000006
【図５】
2019207264.tif 000007
【図６】
2019207264.tif 000008